(57)【要約】【課題】遊技球の挟み込みが少ない通過口開閉装置の提供。【解決手段】パチンコ機１０に用いられ、遊技球が通過する通過口２０１を開閉する開閉装置２００であって、所定の第１揺動軸を中心として第１揺動する揺動体２２０と、前記揺動体２２０を第１揺動させる駆動源２３５と、前記通過口２０１を閉塞可能で、前記第１揺動軸と所定距離隔てた位置に配置され、前記揺動体２２０に取り付けられる蓋体２０３と、前記揺動体２２０が第１揺動する力により前記第１揺動軸と交差する第２揺動軸で前記揺動体２２０を第２揺動させる第２揺動機構２１０とを備える。【選択図】図４
2008295559.tif 000002
【特許請求の範囲】
【請求項１】
パチンコ機に用いられ、遊技球が通過する通過口を開閉する開閉装置であって、
所定の第１揺動軸を中心として第１揺動する揺動体と、
前記揺動体を第１揺動させる駆動源と、
前記通過口を閉塞可能で、前記第１揺動軸と所定距離隔てた位置に配置され、前記揺動体に取り付けられる蓋体と、
前記揺動体が第１揺動する力により前記第１揺動軸と交差する第２揺動軸で前記揺動体を第２揺動させる第２揺動機構と
を備える開閉装置。
【発明の詳細な説明】
【技術分野】
【０００１】
本発明は、パチンコ機に備えられ通過口を遊技球が通過するか否かを選択しうる開閉装置に関する。
【背景技術】
【０００２】
従来、パチンコ機は、入賞口と称される開口部に遊技球が入れば当たりとなって賞球が得られたり、抽選などの契機となり、遊技球が入賞口に入らなければハズレとなる。このように、入賞口に遊技球が入るか否かは、遊技者の興味の大きな対象となる。
【０００３】
従って、遊技球の入賞を阻害する状態と受け入れる状態を変換し得る開閉部材を入賞口の開口部近傍に設け、所定のタイミングのみ遊技球の入賞を受け入れるような装置を導入し、興趣性を向上させる演出を取り入れるパチンコ機も存在する。
【０００４】
例えば特許文献１には、前記開口部を開閉する装置に関する発明が記載されている。
特許文献１に記載の開口部を開閉する装置は、上下方向に遊技球が通過する通過口に対し、遊技球の通過方向と直交する方向つまり通過口の面と平行にシャッタ部材をスライド状に往復動させ、通過口を開閉するものである。
【０００５】
また、シャッタ部材の上面には傾斜面が設けられ、シャッタ部材が通過口を閉塞している場合は、前記傾斜面で所定の方向に遊技球を流すようにして、遊技球を振り分けることができるものとしている。
【特許文献１】特開平７−３９６２５号公報
【発明の開示】
【発明が解決しようとする課題】
【０００６】
ところが前記したように、通過口の周縁部と摺動しながら往復動する前記シャッタ部材を用いた場合、遊技球が通過口を通過するタイミングによっては、シャッタ部材の端縁と通過口の周縁部との間に遊技球が挟まれる可能性が高い。これは、通過口が開口している面と、シャッタ部材がスライドする面とが常に一定の位置関係にあることが原因であると考えられる。さらに、図６（ａ）に示すように、通過口の周縁部１に立ち上がり部２が設けられ、シャッタ部材３が前記立ち上がり部２に当接して通過口を塞ぐ構造の場合、当接面が平行に近づいてくるため、図６（ｂ）に示すように遊技球４を挟む可能性は高くなる。
【０００７】
このように、遊技球を通過口周縁部とシャッタ部材との間で完全に挟んでしまったり、完全には挟まないものの遊技球が通過口周縁部とシャッタ部材との間に引っ掛かったりすると、シャッタ部材やシャッタ部材を駆動する駆動源に過大な負荷がかかることとなる。このような負荷はシャッタ部材や駆動源の破損につながったり、短寿命化の原因となったりする。
【０００８】
本発明は、かかる問題に鑑みなされたものであって、遊技球の挟み込みを可及的に抑制した通過口を開閉する開閉装置の提供を目的とする。
【課題を解決するための手段】
【０００９】
上記目的を達成するために、本願発明にかかる開閉装置は、パチンコ機に用いられ、遊技球が通過する通過口を開閉する開閉装置であって、所定の第１揺動軸を中心として第１揺動する揺動体と、前記揺動体を第１揺動させる駆動源と、前記通過口を閉塞可能で、前記第１揺動軸と所定距離隔てた位置に配置され、前記揺動体に取り付けられる蓋体と、前記揺動体が第１揺動する力により前記第１揺動軸と交差する第２揺動軸で前記揺動体を第２揺動させる第２揺動機構とを備える。
【００１０】
これにより、通過口が設けられる面に対し、蓋体の面が常に変化しながら通過口に近づくことができるため、通過口を通過する遊技球を挟み込む可能性を可及的に低下させることができる。また、仮に通過口の周縁と蓋体との間に遊技球を挟み込んだとしても、通過口の周縁と蓋体との間に発生する力の方向と、蓋体が移動する方向が異なるため、遊技球を挟み込んだ状態から容易に離脱することが可能となる。
【発明の効果】
【００１１】
本発明によれば、遊技球の挟み込みを可及的に抑制した開閉装置を提供することができる。
【発明を実施するための最良の形態】
【００１２】
以下、本発明の実施の形態にかかる振分装置を備えるパチンコ機について図面を参照しつつ説明する。
【００１３】
図１は、本発明の実施の形態にかかるパチンコ機の斜視図である。
同図（ａ）に示すように、パチンコ機１０は、外枠１１、前枠１２、窓枠１３、および窓枠１３に覆われた遊技盤などを備えている。
【００１４】
また、同図（ｂ）に示すように、パチンコ機１０は、その背面に、液晶ディスプレイなどの表示制御を行なう表示サブ基盤２１、各種遊技音の出力制御を行なう音サブ基盤２２、パチンコ機１０の主要な制御を行う処理部、例えば遊技に関する主たる制御手段を備える主基盤２３、遊技球の払い出し動作を制御する払出基盤２４、各基盤等に電源を供給する電源基盤２５等を備えている。
【００１５】
同図（ｂ）に示すように、前記各種基盤は、不正防止のため、それぞれが透明ケースに収納された状態で取り付けられている。
【００１６】
外枠１１は、パチンコホールに設置されている台島の開口部にパチンコ機１０を取り付けるための部材であり、前後面が開口する薄い四角筒状に形成されている。外枠１１の大きさは、台島の開口部に合致する大きさで統一されており、正面視において外枠１１の範囲内にパチンコ機１０が納まるものとなっている。
【００１７】
前枠１２は、ヒンジにより外枠１１の前端面に開閉可能に軸着されている。従って、パチンコホールの台島に外枠１１が固定された状態において、前枠１２を開閉することができ、台島に取り付けられた状態でパチンコ機１０の背面を見ることができるようになっている。
【００１８】
前枠１２の前面下部には、上面が開口する下皿１４と、上面が開口する上皿１５とが固定されている。上皿１５は払い出された賞球（遊技球）が保持されるとともに、遊技球を遊技領域に打ち出すための打球鎚に遊技球を供給するための部位である。下皿１４は、上皿１５が賞球でいっぱいになった場合に溢れた賞球を保持しておく部位である。
【００１９】
下皿１４の右端周辺にはハンドル台１６が固定されており、ハンドル台１６には発射ハンドル１９が揺動自在に装着されている。この発射ハンドル１９の後方には発射モータが固定されており、発射モータの揺動軸には打球鎚が連結されている。この発射モータは打球鎚の駆動源に相当するものであり、発射ハンドル１９が揺動操作されたときには発射モータに駆動電源が与えられ、打球鎚が駆動することに基づいて上皿１５から供給される遊技球を遊技領域に弾き出すものとなっている。
【００２０】
窓枠１３は、前枠１２の前面に開閉自在に軸着されている。窓枠１３は、円形孔状の窓部１７を有し、窓部１７には透明なガラス窓１７ａが固定されている。この窓枠１３の左上隅部および右上隅部の裏面には、遊技音を出力するスピーカ１８が固定されている。また、窓枠１３には複数の装飾ＬＥＤが固定されている。
【００２１】
次に、窓枠１３の奥にガラス窓１７ａを介して視認可能に取り付けられる遊技盤につい説明する。
【００２２】
図２は、遊技盤の正面図である。
遊技盤３０は、上述のように前枠１２の後面に装着されており、窓枠１３のガラス窓１７ａに前方から覆われている。
【００２３】
遊技盤３０は、遊技領域を形成する部材であり、基礎板３１、ガイドレール３２、障害釘３９、始動口３３、中央役物１００、アウト口５２、一般入賞口３５、図柄表示手段３７などを備えている。
【００２４】
基礎板３１は、遊技盤３０の各構成部材を固定するための板であり、中間部に中央役物１００や図柄表示手段３７を取り付けるための矩形の孔が設けられている。
【００２５】
図柄表示手段３７は、第２種遊技の演出としての図柄を表示する液晶画面を備える装置であり、中央役物１００の背面に配置され、基礎板３１に設けられた前記矩形の孔を通して図柄が見えるように基礎板３１に取り付けられている。
【００２６】
ガイドレール３２は、この基礎板３１の前面に起立状に取り付けられる金属製帯状の部材であり、遊技球が転落する領域である遊技領域３１ｂを画定している。
【００２７】
障害釘３９は、遊技領域３１ｂ内の基礎板３１に植設され、遊技領域３１ｂを転落する遊技球の進路を複雑に変化させる部材である。
【００２８】
始動口３３は、遊技球が入ることにより中央役物１００の役物羽根１０１を稼働させる契機となる部分であり、上面が開口するポケット状に形成される部材である。始動口３３は、遊技領域３１ｂ内における中央役物１００の下方に３箇所に取り付けられており、左右両側に「１」と付されている始動口３３に遊技球が入賞すると役物羽根１０１が１回開閉する。また、中央の「２」と付されている始動口３３に遊技球が入賞すると役物羽根１０１が２回開閉を繰り返すものとなっている。始動口３３の背部には、役物羽根１０１開閉の契機となる始動口スイッチ（図示せず）が内部に取り付けられている。始動口スイッチは、始動口３３内に遊技球が入賞したことを検出するセンサである。
【００２９】
一般入賞口３５は、遊技球が入賞すると所定数の賞球が払い出される部分であり、上面が開口するポケット状に形成されている。一般入賞口３５は、一般入賞口スイッチが内部に取り付けられており、遊技球が一般入賞口３５に入賞したことを一般入賞口スイッチが検知するものとなっている。
【００３０】
図３は、中央役物を示す斜視図である。
同図に示すように、中央役物１００は、役物羽根１０１と、第１振分装置１０２と、第２振分装置１１０と、開閉装置２００と、第４振分装置１０４と、第５振分装置１０５と、復活鎚１０６とを備えている。
【００３１】
役物羽根１０１は、中央役物１００に遊技球を導入するための可動部材であり、中央役物１００の上部に左右対称に一対設けられている。役物羽根１０１は、通常閉ざされた状態となっており、この状態では中央役物１００内に遊技球は入賞しない。遊技球が始動口３３に入賞した場合、役物羽根１０１は、短時間開状態となった後、閉状態に戻る。遊技球が「２」と付された始動口３３に入賞した場合は、役物羽根１０１の前記開閉動作が２回続けで実施される。また、中央役物１００に入賞した遊技球が中央役物１００内のＶゾーンに入った場合、役物羽根１０１は、中央役物１００に所定球数（例えば１０球）入賞するか、役物羽根１０１が所定回数（例えば１８回）開閉動作を実施するかのいずれかが早く達するまで開閉動作を繰り返す。この遊技球がＶゾーンに入った後の状態は大当たり遊技と言われている。
【００３２】
第１振分装置１０２は、開状態の役物羽根１０１により中央役物１００に入賞した遊技球が最初に振り分けられる部分である。本実施の形態の場合、役物羽根１０１を通過して入賞した遊技球は、球流路中央部に案内され、中央部に設けられた孔に落下する。前記孔の下方には垂れ下がった垂下片１０７が揺動自在に設けられており、当該垂下片１０７の揺動により遊技球は左右方向に延びる二つの球流路のいずれかに振り分けられる。
【００３３】
第２振分装置１１０は、第２振分装置１１０全体を回転揺動させることにより、第２振分装置１１０内部に受け入れた遊技球を二つの球流路に振り分ける振分装置であって、中央役物１００の左右側端に一対設けられている。これら一対の第２振分装置１１０は、第１振分装置１０２で振り分けられた遊技球を受け入れて、さらに二つの球流路のいずれかに振り分ける。
【００３４】
開閉装置２００は、第２振分装置１１０で振り分けられた遊技球の内、所定の球流路に案内された遊技球に対し、通過口を開閉して通過口に入り込む遊技球とそうでない遊技球とを振り分ける第３振分装置として機能するものである。なお、開閉装置２００の詳細については後述する。
【００３５】
第４振分装置１０４は、第２振分装置１１０で振り分けられた遊技球の内、開閉装置２００により通過口に落ち込まなかった遊技球を、大当たりか外れかのいずれかに振り分ける装置である。第４振分装置１０４は、垂直から若干傾いた軸を回転軸とする回転体と、当該回転体に放射方向にＵ字状に切り欠かれた切欠と、遊技球を回転体に案内する案内路と復活路とを備えている。また、切欠は、回転体に等間隔に４つ設けられており、これらの内の「Ｖ」と付され、最も深く切り欠かれたＶゾーンに遊技球が保持されると、大当たりとなる孔に落ち込み、それ以外の切欠に保持されるとアウト球として処理される孔に落ち込む。第４振分装置１０４に到達した遊技球は、以上のようにして最終的な振分がなされる。
【００３６】
第５振分装置１０５は、開閉装置２００により開閉される通過口に落ち込んだ遊技球の行く先を振り分ける装置であり、左右にそれぞれ設けられている。向かって右側にある第５振分装置１０５は、右に傾斜する傾斜路と、傾斜路を通過する遊技球を整流するための整流壁とを備え、整流壁の上端面は左に傾斜している。向かって左側にある第５振分装置１０５は前記と左右対称の形状となっている。第５振分装置１０５は、中央役物１００に対して突出している場合、ほぼ自由落下に近い状態で落下する遊技球を傾斜面で受け止めると共に、整流壁で遊技球の動きを規制し、復活鎚１０６の方向に遊技球を壁に沿って転がす。中央役物１００に対し整流壁を残した状態で没入している場合、第５振分装置１０５は、落下する遊技球を整流壁の上面で受け止め遊技球の運動方向ベクトルを左方向に変更させる。以上により、第５振分装置１０５は、ほぼ自由落下する遊技球を左右方向に振り分ける。第５振分装置１０５により左側に振り分けられた遊技球は、アウト球になる。右側に振り分けられたアウト球も壁に沿って進行し、原則的にはアウト球になる。なお左側に配置される第５振分装置１０５は、本説明と左右対称となる。
【００３７】
復活鎚１０６は、所定の間隔、または、ランダムに出没を繰り返し、復活鎚１０６の目前に存在する遊技球を打ち出すことのできる部材である。復活鎚１０６にはソレノイドが接続されている。そして、ソレノイドをあるタイミングで通電することで、プランジャを介し復活鎚１０６が短時間で出没する。復活鎚１０６は、第５振分装置１０５により、壁沿いに進行してきた遊技球をある確率で第４振分装置１０４に打ち出すことができるものとなっている。
【００３８】
図４は、開閉装置を示す斜視図であり、（ａ）、（ｂ）、（ｃ）はそれぞれ開閉装置の可動状態を段階的に示す図である。
【００３９】
図５は、開閉装置を示す正面図であり、（ａ）、（ｂ）、（ｃ）は図４に示す（ａ）、（ｂ）、（ｃ）と対応関係にある。
【００４０】
同図に示す開閉装置２００は、通過口２０１を閉塞し、また、開放することのできる装置であり、揺動体２２０と、蓋体２０３と、第２揺動機構２１０と、駆動機構２３０とを備えている。
【００４１】
通過口２０１は、遊技球を落とし込む孔の端部に存在し、遊技球が前記孔に落ち込む際に通過する開口部である。
【００４２】
揺動体２２０は、蓋体２０３に対して３次元的な動きを付与するための駆動力を伝達する部材である。本実施の形態の場合、開閉装置２００に視覚的効果を付与するため、揺動体２２０は、人形の下半身を模した形状が採用されている。また、揺動体２２０は、揺動軸部２２１と、アーム部２２２とを備えている。なお、本発明において揺動体２２０の形状は、人形の下半身である必要はなく、任意の形状を採用しうる。
【００４３】
揺動軸部２２１は、縦に延びて配置される円筒形状の部材であり、揺動軸部２２１の一端部周壁には第２揺動機構２１０の一つである第１歯部２１１が放射状に設けられている。また、揺動軸部２２１の中央部分には駆動機構２３０の一つである軸受部２３１が揺動軸部２２１を囲んで配置されており、軸受部２３１と揺動軸部２２１との位置関係がずれないようにストッパ２２３が揺動軸部２２１の周壁に、軸受部２３１を挟むように２箇所に突設されている。
【００４４】
アーム部２２２は、蓋体２０３と揺動軸部２２１の他端部とを接続する部材であり、揺動軸部２２１の他端部から放射方向に延設されている。
【００４５】
蓋体２０３は、揺動体２２０が所定の状態にある際に通過口２０１を閉塞しうる部材であり、アーム部２２２の先端に取り付けられている。本実施の形態の場合、蓋体２０３は、揺動体２２０と同様、視覚的効果を開閉装置２００に付与するため、揺動体２２０と一体となって、人形の靴を模した形状が採用されている。
【００４６】
駆動機構２３０は、蓋体２０３と共に揺動体２２０を駆動する機構であり、軸受部２３１と、第１揺動軸体２３２と、クランク２３３と、プランジャ２３４と、ソレノイド２３５とを備えている。
【００４７】
軸受部２３１は、揺動軸部２２１を第２揺動自在に軸支すると共に、揺動軸部２２１を第１揺動させる揺動力を伝達する円筒形状の部材である。また、軸受部２３１は、第１揺動軸体２３２と一体に形成されている。
【００４８】
第１揺動軸体２３２は、揺動体２２０の第１揺動軸に沿って延びる部材であり、軸受部２３１の周壁の中央部と第１揺動軸体２３２の一端とが一体にＴ字状に接続されている。また、第１揺動軸体２３２は、中央役物１００に固定される固定体２４０に軸支されている。
【００４９】
クランク２３３は、プランジャ２３４の往復運動を第１揺動軸体２３２の第１揺動運動に変換するための部材であり、第１揺動軸体２３２の第１揺動軸に対し放射線上に延びて配置されている。また、クランク２３３は第１揺動軸体２３２の他端部と固定的に接続されている。また、プランジャ２３４とは回動可能に接続されている。
【００５０】
プランジャ２３４は、ソレノイド２３５に接続され、往復動する部材である。
ソレノイド２３５は、電源のオン・オフによりプランジャ２３４を往復動させることができる駆動源であり、固定体２４０と同様、中央役物１００に固定されている。
【００５１】
第２揺動機構２１０は、ソレノイド２３５からの駆動力により揺動軸部２２１を第２揺動させる機構であり、第１歯部２１１と第２歯部２１２とを備えている。
【００５２】
第１歯部２１１は、前述の通り揺動軸部２２１の一端部周壁に放射状に突設さられる傘歯車の一部である。第１歯部２１１は、第２歯部２１２とかみ合うことにより揺動軸部２２１の第１揺動力を揺動軸部２２１が第２揺動するための力に変換するものである。
【００５３】
第２歯部２１２は、第１歯部２１１とかみ合うように固定体２４０の表面に設けられる傘歯車の一部である。
【００５４】
次に、開閉装置２００の動作について説明する。
まず、ソレノイド２３５がプランジャ２３４を没入方向に移動させると、クランク２３３が左方向に第１揺動する（図４、図５の（ｃ）→（ｂ）→（ａ））。固定体２４０に軸支される第１揺動軸体２３２は、クランク２３３の第１揺動に伴い左方向に第１揺動する。第１揺動軸体２３２と一体に接続される軸受部２３１も第１揺動軸を中心として左方向に第１揺動する。軸受部２３１の第１揺動に伴い、軸受部２３１に軸支される揺動軸部２２１が第１揺動軸を中心として左方向に第１揺動し、これと一体に接続されるアーム部２２２を介し蓋体２０３が第１揺動する。当該揺動体２２０の第１揺動により図４、図５の（ｃ）に示すように通過口２０１を閉塞していた蓋体２０３は、図４、図５の（ａ）に示すように通過口２０１を開放状態として上方に持ち上がる。
【００５５】
なお、本明細書において、「右方向に第１揺動」とは、開閉装置２００を正面から見た場合（図５の状態）に揺動体２２０などが時計方向に第１揺動することを意味し、「左方向に第１揺動」とは前記状態で反時計方向に第１揺動することを意味する。
【００５６】
一方、上記揺動体２２０の第１揺動の揺動力により、揺動軸部２２１の一端部に設けられる第１歯部２１１が、固定状の第２歯部２１２とかみ合うことによって、第１揺動しながら軸受部２３１によって形成される第２揺動軸を中心として第２揺動する。この第２揺動機構２１０により揺動体２２０は、第２揺動（開閉装置２００上部から見て右方向に第２揺動）し、蓋体２０３は、揺動体２２０の揺動軸部２２１とアーム部２２２とを介して揺動体２２０と共に第２揺動する。
【００５７】
以上の第１揺動と第２揺動とが同時に行われるため、蓋体２０３は、螺旋状に持ち上がり、蓋体２０３の面と通過口２０１の面とが平行（一致）状態から交差する角度が徐々に増加するように蓋体２０３が通過口２０１から遠ざかる。
【００５８】
次に、ソレノイド２３５がプランジャ２３４を突出方向に移動させると、クランク２３３が右方向に第１揺動する（図４、図５の（ａ）→（ｂ）→（ｃ））。第１揺動軸体２３２も右方向に第１揺動する。軸受部２３１も右方向に第１揺動する。軸受部２３１の第１揺動に伴い、揺動軸部２２１とアーム部２２２とを介し蓋体２０３が第１揺動する。当該揺動体２２０の第１揺動により蓋体２０３は下方に下がる。
【００５９】
上記揺動体２２０の第１揺動と同時に、揺動軸部２２１の一端部に設けられる第１歯部２１１が、固定状の第２歯部２１２とかみ合うことによって、第１揺動しながら第２揺動する。この第２揺動機構２１０により揺動体２２０は、第２揺動（開閉装置２００上部から見て左方向に第２揺動）し、蓋体２０３は、揺動体２２０の揺動軸部２２１とアーム部２２２とを介して揺動体２２０と共に第２揺動する。
【００６０】
以上の第１揺動と第２揺動とが同時に行われるため、蓋体２０３は、蓋体２０３の面と通過口２０１の面との交差する角度が徐々に減少しながら通過口２０１に近づき、通過口２０１と蓋体２０３とが一致するまで螺旋状に下がる。
【００６１】
従って、蓋体２０３と通過口２０１の周縁との間に遊技球が非常に挟まりにくい状態を創出することができ、蓋体２０３と通過口２０１の周縁との間に遊技球が仮に挟まったとしても、蓋体２０３と通過口２０１の周縁との間に発生する力の方向と、蓋体２０３の動きベクトルの方向とが一致しないため、容易に遊技球の挟み込みが解除され、蓋体２０３や、ソレノイド２３５に発生する負荷を最小かつ短時間に留めることが可能となる。
【００６２】
なお、本実施の形態で参照する図面には、揺動軸部２２１に対しアーム部２２２とその先端に設けられる蓋体２０３とが左右対称に複数設けられているが、本発明は、アーム部２２２とその先端に設けられる蓋体２０３とを複数設けることや、左右対称に配置することを必須の要件とするものではない。
【００６３】
ただし、本実施の形態の場合、開閉装置２００の揺動体２２０および蓋体２０３は、人間の下半身を短足にデフォルメし、大きな靴を履かせた人形状を呈しており、両方の足に通過口２０１の開閉機能を持たせることにより左右それぞれに案内された遊技球を一つのソレノイド２３５でそれぞれ振り分けることが可能となっている。また、左右の足が交互に上下するため、揺動体２２０からなる下半身の部分が「トコトコ」と歩くような様相を呈することが可能となり、振分機能に加えて興趣性向上の機能を併有することができるようになる。
【００６４】
さらに、図柄表示手段３７に近くの物が遠ざかっていくような遠近法を取り入れた動画を表示することにより、その前面に配置された人形形状を呈した開閉装置２００があたかも近づいてくるような演出的効果を奏することが可能となる。
【００６５】
また、本実施の形態では駆動源としてソレノイド２３５を採用しているが、駆動源はこれに限定されるわけではなく、ステッピングモータなど任意のモータやその他の駆動源を採用することができる。また、前記モータは、揺動体２２０の背面に隠れた状態で第１揺動軸体２３２と接続されるものが望ましい。これは、揺動体２２０により駆動源が隠されて遊技者に見えなくなり、演出効果を妨げないためである。また、図５において、プランジャ２３４とクランク２３３とを揺動体２２０から離した位置に記載しているが、これに限定されるわけではなく、揺動体２２０の背面に隠れる位置に設けてもよい。また、プランジャ２３４とクランク２３３とを透明の部材で形成しても構わない。
【産業上の利用可能性】
【００６６】
本願発明は、２種のパチンコ機などパチンコ機に利用できる。
【図面の簡単な説明】
【００６７】
【図１】本発明の実施の形態にかかるパチンコ機の斜視図。
【図２】遊技盤を示す正面図。
【図３】中央役物を示す斜視図。
【図４】開閉装置を示す斜視図であり、（ａ）、（ｂ）、（ｃ）は各動作状態を示す。
【図５】開閉装置を示す正面図であり、（ａ）、（ｂ）、（ｃ）は図４に対応した各動作状態を示す。
【図６】遊技球の挟み込みを説明するための図。
【符号の説明】
【００６８】
１０…パチンコ機、１００…中央役物、２００…開閉装置、２０１…通過口、２０３…蓋体、２１０…第２揺動機構、２２０…揺動体、２３０…駆動機構、２３５…ソレノイド
【図１】
2008295559.tif 000003
【図２】
2008295559.tif 000004
【図３】
2008295559.tif 000005
【図４】
2008295559.tif 000006
【図５】
2008295559.tif 000007
【図６】
2008295559.tif 000008